【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
荷物の配送情報を管理するサーバ装置とネットワークを介して接続する通信端末において、
出発地と、目的地と、荷物の識別情報とを、前記サーバ装置へ送信する第１送信手段と、
前記出発地から前記目的地への経路に基づく前記荷物の受取場所の候補の情報を、前記サーバ装置から受信する受信手段と、
前記候補から、外部入力に基づき前記荷物の受取場所として選択した一の場所の情報を、前記サーバ装置に送信する第２送信手段と、
を有する通信端末。
【請求項２】
前記第１送信手段は、前記出発地からの出発予想時刻又は前記目的地への到着予想時刻の少なくともいずれかを、さらに前記サーバ装置へ送信し、
前記サーバ装置は、前記経路に近接する前記荷物の受渡しの取扱所のうち、前記経路と前記出発予想時刻又は前記到着予想時刻とに基づき算出した前記取扱所へのユーザの到着予想時刻より前に、前記荷物を配達可能な前記取扱所を、前記候補として検索し、
前記受信手段は、前記サーバ装置が検索した前記候補の情報を、前記サーバ装置から受信することを特徴とする請求項１に記載の通信端末。
【請求項３】
前記受信手段が受信した前記候補の情報に基づき、前記候補の一覧を表示手段に表示させる表示制御手段と、
前記一覧から１つの場所を選択する前記外部入力を受け付ける入力受付手段と、
をさらに有し、
前記第２送信手段は、前記外部入力に基づき選択された場所の情報を、前記サーバ装置に送信することで、当該場所を、前記荷物の受取場所として前記荷物の識別情報と関連付けて前記サーバ装置に記憶させることを特徴とする請求項１または２に記載の通信端末。
【請求項４】
前記表示制御手段は、前記荷物の種別に応じて、前記出発地に近い場所を前記一覧において優先して表示するか、又は、前記目的地に近い場所を前記一覧において優先して表示するかを決定することを特徴とする請求項３に記載の通信端末。
【請求項５】
前記受信手段は、前記候補の情報として、前記候補への経由のしやすさの情報を受信し、
前記表示制御手段は、前記一覧において、前記候補への経由のしやすさの情報を表示させることを特徴とする請求項３または４に記載の通信端末。
【請求項６】
前記候補への経由のしやすさは、前記通信端末のユーザの交通手段に基づいて判断されることを特徴とする請求項５に記載の通信端末。
【請求項７】
前記選択した一の場所を経由地とした前記出発地から前記目的地までの経路の案内を行う経路案内手段を有することを特徴とする請求項１〜６のいずれか一項に記載の通信端末。
【請求項８】
前記選択した一の場所に所定距離以内に近づいた場合に、前記荷物の受取場所に近づいた旨を通知する通知手段を有することを特徴とする請求項１〜７のいずれか一項に記載の通信端末。
【請求項９】
請求項１〜８のいずれか一項に記載の通信端末と、前記通信端末とネットワークを介して接続する前記サーバ装置とを有する通信システムであって、
前記サーバ装置は、
前記第１送信手段により送信された前記出発地及び前記目的地に基づいて前記経路を探索する経路探索手段と、
前記経路に基づいて前記荷物の受取場所の候補を検索し、当該候補の情報を前記通信端末へ送信する候補通知手段と、
前記第２送信手段から前記選択した一の場所の情報を受信し、前記選択した一の場所を、前記荷物の受取場所として前記荷物の識別情報と関連付けて記憶手段に記憶させる記憶制御手段と、
を有することを特徴とする通信システム。
【請求項１０】
前記通信端末の第１送信手段は、前記出発地からの出発予想時刻又は前記目的地への到着予想時刻の少なくともいずれかを、さらに前記サーバ装置へ送信し、
前記サーバ装置の候補通知手段は、前記経路に近接する前記荷物の受渡しの取扱所のうち、前記経路と前記出発予想時刻又は前記到着予想時刻とに基づき算出した前記取扱所へのユーザの到着予想時刻より前に、前記荷物を配達可能な前記取扱所を、前記候補として検索し、
前記通信端末の受信手段は、前記候補通知手段が検索した前記候補の情報を、前記サーバ装置から受信することを特徴とする請求項９に記載の通信システム。
【請求項１１】
前記候補通知手段は、前記ユーザの到着予想時刻より前に、前記荷物を配達可能な前記取扱所であって、前記到着予想時刻が営業時間内である場所を、前記候補として検索することを特徴とする請求項９または１０に記載の通信システム。
【請求項１２】
荷物の配送情報を管理するサーバ装置とネットワークを介して接続する通信端末が実行する制御方法であって、
出発地と、目的地と、荷物の識別情報とを、前記サーバ装置へ送信する第１送信工程と、
前記出発地から前記目的地への経路に基づく前記荷物の受取場所の候補の情報を、前記サーバ装置から受信する受信工程と、
前記候補から、外部入力に基づき前記荷物の受取場所として選択した一の場所の情報を、前記サーバ装置に送信する第２送信工程と、
を有することを特徴とする制御方法。
【請求項１３】
荷物の配送情報を管理するサーバ装置とネットワークを介して接続する通信端末を制御するコンピュータが実行するプログラムであって、
出発地と、目的地と、荷物の識別情報とを、前記サーバ装置へ送信する第１送信手段と、
前記出発地から前記目的地への経路に基づく前記荷物の受取場所の候補の情報を、前記サーバ装置から受信する受信手段と、
前記候補から、外部入力に基づき前記荷物の受取場所として選択した一の場所の情報を、前記サーバ装置に送信する第２送信手段
として前記コンピュータを機能させることを特徴とするプログラム。
【請求項１４】
請求項１３に記載のプログラムを記憶したことを特徴とする記憶媒体。
【手続補正２】
【補正対象書類名】明細書
【補正対象項目名】０００６
【補正方法】変更
【補正の内容】
【０００６】
請求項に記載の発明は、荷物の配送情報を管理するサーバ装置とネットワークを介して接続する通信端末において、出発地と、目的地と、荷物の識別情報とを、前記サーバ装置へ送信する第１送信手段と、前記出発地から前記目的地への経路に基づく前記荷物の受取場所の候補の情報を、前記サーバ装置から受信する受信手段と、前記候補から、外部入力に基づき前記荷物の受取場所として選択した一の場所の情報を、前記サーバ装置に送信する第２送信手段と、を有することを特徴とする。
【手続補正３】
【補正対象書類名】明細書
【補正対象項目名】０００７
【補正方法】変更
【補正の内容】
【０００７】
また、請求項に記載の発明は、荷物の配送情報を管理するサーバ装置とネットワークを介して接続する通信端末が実行する制御方法であって、出発地と、目的地と、荷物の識別情報とを、前記サーバ装置へ送信する第１送信工程と、前記出発地から前記目的地への経路に基づく前記荷物の受取場所の候補の情報を、前記サーバ装置から受信する受信工程と、前記候補から、外部入力に基づき前記荷物の受取場所として選択した一の場所の情報を、前記サーバ装置に送信する第２送信工程と、を有することを特徴とする。
【手続補正４】
【補正対象書類名】明細書
【補正対象項目名】０００８
【補正方法】変更
【補正の内容】
【０００８】
また、請求項に記載の発明は、荷物の配送情報を管理するサーバ装置とネットワークを介して接続する通信端末を制御するコンピュータが実行するプログラムであって、出発地と、目的地と、荷物の識別情報とを、前記サーバ装置へ送信する第１送信手段と、前記出発地から前記目的地への経路に基づく前記荷物の受取場所の候補の情報を、前記サーバ装置から受信する受信手段と、前記候補から、外部入力に基づき前記荷物の受取場所として選択した一の場所の情報を、前記サーバ装置に送信する第２送信手段として前記コンピュータを機能させることを特徴とする。